【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
時間リソースのセット、周波数リソースのセット、またはそれらの組み合わせに、ページング信号と同期信号とを多重化するか否かを決定することと、前記決定することは、前記ＢＳによってサービスされる少なくとも１つのユーザ機器（ＵＥ）の能力、動作周波数帯域、または前記ページング信号のトーン間隔および前記同期信号のトーン間隔の組み合わせに基づき、前記動作周波数に基づいて多重化するか否かを決定することは、時間領域、周波数領域、またはそれらの組み合わせ、のうちの少なくとも１つにおいて、前記同期信号およびページング許可のためのサーチスペースをオーバーラップさせるか否かを決定することを含み、前記ページング信号は、ページングメッセージをスケジューリングする前記ページング許可を含み、前記ページング許可は、物理ダウンリンク制御チャネル（ＰＤＣＣＨ）を介して搬送され、前記ページングメッセージは、物理ダウンリンク共有チャネル（ＰＤＳＣＨ）を介して搬送される、
前記決定に基づいて前記ページング信号と前記同期信号とを多重化することと、
を備える、方法。
【請求項２】
前記多重化することは、前記ページングメッセージと前記同期信号とを周波数分割多重化することを備え、前記ページングメッセージと前記同期信号とは、同じ時間リソースであるが異なる周波数リソースに割り当てられる、請求項１に記載の方法。
【請求項３】
前記多重化することは、前記ページング許可と前記同期信号とを時分割多重化することを備え、前記ページング許可と前記同期信号とは、異なる時間リソースに割り当てられる、請求項２に記載の方法。
【請求項４】
前記ページング信号の前記トーン間隔および前記同期信号の前記トーン間隔の組み合わせに基づいて多重化するか否かを決定することは、前記ページング許可の前記トーン間隔が前記同期信号の前記トーン間隔と同じであると決定することに応答して、前記時間領域において前記ページング許可と前記同期信号とをオーバーラップさせることによって、前記ページング許可と前記同期信号とを周波数分割多重化すると決定することを含む、請求項１に記載の方法。
【請求項５】
前記ページング信号の前記トーン間隔および前記同期信号の前記トーン間隔の組み合わせに基づいて多重化するか否かを決定することは、前記ページング許可の前記トーン間隔が前記同期信号の前記トーン間隔とは異なると決定することに応答して、前記時間領域において前記ページング許可と前記同期信号とをオーバーラップさせないと決定することを含む、請求項４に記載の方法。
【請求項６】
前記ページング許可は、デフォルトのサーチスペースを通じて送信されるページング許可に対応する、請求項４に記載の方法。
【請求項７】
前記ページング許可のための前記サーチスペースは、前記ページング許可のためのデフォルトのサーチスペースに対応する、請求項１に記載の方法。
【請求項８】
前記多重化することは、前記ページング信号と前記同期信号とを周波数分割多重化（ＦＤＭ）することを含む、請求項１に記載の方法。
【請求項９】
前記同期信号および前記ページング許可のための前記サーチスペースをオーバーラップさせるか否かを前記決定することは、前記ＦＤＭに必要とされる最低限の帯域幅上の通信を前記ＢＳと前記少なくとも１つのＵＥとの両方が少なくともサポートしている場合、前記ページング信号と前記同期信号とをＦＤＭすると決定することを備える、請求項８に記載の方法。
【請求項１０】
前記同期信号および前記ページング許可のための前記サーチスペースをオーバーラップさせるか否かを前記決定することは、同期信号バースト（ＳＳバースト）のサブセットにおいて、前記ページング信号と前記同期信号とをＦＤＭすると決定することを備える、請求項８に記載の方法。
【請求項１１】
前記同期信号および前記ページング許可のための前記サーチスペースをオーバーラップさせるか否かを前記決定することは、同期信号ブロック（ＳＳブロック）のサブセットにおいて、前記ページング信号と前記同期信号とをＦＤＭすると決定することを備える、請求項８に記載の方法。
【請求項１２】
前記ページング信号と前記同期信号とを多重化するか否かを前記決定することは、前記ＢＳが少なくとも最低限の品質で前記同期信号を送信することができる場合、前記ページング信号と前記同期信号とを多重化すると決定することを備える、請求項１に記載の方法。
【請求項１３】
少なくとも最低限の品質で前記同期信号を送信することは、少なくとも最低限の電力で前記同期信号を送信することを含む、請求項１２に記載の方法。
【請求項１４】
前記ページング信号と前記同期信号とを多重化するか否かを前記決定することは、対象とする送信ビーム上で前記ＢＳが前記ページング信号と前記同期信号とを送信することができ、かつ対象とする受信ビーム上で前記少なくとも１つのＵＥが前記ページング信号と前記同期信号とを受信することができる場合、前記ページング信号と前記同期信号とを多重化すると決定することを備える、請求項１に記載の方法。
【請求項１５】
前記ＰＤＣＣＨ、無線リソース制御（ＲＲＣ）シグナリング、マスタ情報ブロック（ＭＩＢ）、スケジューリング情報、システム情報、または同期信号のうちの少なくとも１つを介して、前記少なくとも１つのＵＥの前記能力に関する情報を報告するよう求めるリクエストを、前記少なくとも１つのＵＥに送信すること、
をさらに備える、請求項１に記載の方法。
【請求項１６】
物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記少なくとも１つのＵＥの前記能力に関する情報を受信すること、
をさらに備える、請求項１に記載の方法。
【請求項１７】
動作周波数帯域に基づいて多重化するか否かを前記決定することは、第１の周波数帯域において前記ページング信号と前記同期信号とを周波数分割多重化すると決定することと、第２の周波数帯域において前記ページング信号と前記同期信号とを多重化しないと決定することとを備える、請求項１に記載の方法。
【請求項１８】
動作周波数帯域に基づいて多重化するか否かを前記決定することは、前記動作周波数帯域で動作する前記ＢＳの能力または前記少なくとも１つのＵＥの前記能力のうちの少なくとも１つに基づき、前記少なくとも１つのＵＥの前記能力は、前記動作周波数帯域で動作する前記少なくとも１つのＵＥの能力を備える、請求項１７に記載の方法。
【請求項１９】
前記第１の周波数帯域は、６ＧＨｚよりも高く、前記第２の周波数帯域は、サブ６ＧＨｚ帯域である、請求項１７に記載の方法。
【請求項２０】
前記多重化することは、周波数リソースの第１のセットを前記ページング信号に、周波数リソースの第２のセットを前記同期信号に割り振ることを備え、前記第１のセットと前記第２のセットとは、オーバーラップしない、請求項１に記載の方法。
【請求項２１】
前記多重化することは、周波数リソースの第１のセットを前記ページング信号に、周波数リソースの第２のセットを前記同期信号に割り振ることを備え、前記第１のセットと前記第２のセットとは、少なくとも部分的にオーバーラップする、請求項１に記載の方法。
【請求項２２】
前記ページング信号の送信は、前記同期信号の周辺でレートマッチングされる、請求項２１に記載の方法。
【請求項２３】
前記同期信号は、物理ブロードキャストチャネル（ＰＢＣＨ）、プライマリ同期信号（ＰＳＳ）、およびセカンダリ同期信号（ＳＳＳ）を有する同期信号ブロックを含む、請求項１に記載の方法。
【請求項２４】
ユーザ機器（ＵＥ）によるワイヤレス通信の方法であって、
ページング信号と同期信号とが基地局（ＢＳ）で多重化されるか否かを決定する際に使用するために、前記ＵＥの少なくとも１つの能力を送信することと、
前記ページング信号と前記同期信号とが前記基地局によって多重化されることを示す情報を受信することと、前記情報は、前記同期信号およびページング許可のためのサーチスペースが時間領域、周波数領域、またはそれらの組み合わせ、のうちの少なくとも１つにおいてオーバーラップするか否かを示し、前記ページング信号は、ページングメッセージをスケジューリングする前記ページング許可を含み、前記ページング許可は、物理ダウンリンク制御チャネル（ＰＤＣＣＨ）を介して受信され、前記ページングメッセージは、物理ダウンリンク共有チャネル（ＰＤＳＣＨ）を介して受信される、
前記受信した能力に基づいて、前記ＵＥで受信した多重化されたページング信号と同期信号とを処理することと、
を備える、方法。
【請求項２５】
前記ＵＥの前記少なくとも１つの能力を報告するよう求めるリクエストを受信することをさらに備え、前記送信することは、前記リクエストに応答する、請求項２４に記載の方法。
【請求項２６】
前記リクエストを受信することは、物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、前記ＢＳから前記リクエストを受信することを備える、請求項２５に記載の方法。
【請求項２７】
前記送信することは、物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記ＵＥの前記少なくとも１つの能力を送信することを備える、請求項２４に記載の方法。
【請求項２８】
前記少なくとも１つの能力は、前記ＵＥによってサポートされる最低限の帯域幅、前記ＵＥで利用可能なアンテナポートの数、または前記ＵＥで利用可能なアンテナ要素サブアレイの数、のうちの少なくとも１つを含む、請求項２４に記載の方法。
【請求項２９】
前記処理することは、時間リソースのセット、周波数リソースのセット、またはそれらの組み合わせにおいて受信された、前記ページング信号と前記同期信号とを処理することを含む、請求項２４に記載の方法。
【請求項３０】
基地局（ＢＳ）によるワイヤレス通信のための装置であって、
時間リソースのセット、周波数リソースのセット、またはそれらの組み合わせに、ページング信号と同期信号とを多重化するか否かを決定するための手段と、前記決定することは、前記ＢＳによってサービスされる少なくとも１つのユーザ機器（ＵＥ）の能力、動作周波数帯域、または前記ページング信号のトーン間隔および前記同期信号のトーン間隔の組み合わせに基づき、前記動作周波数帯域に基づいて多重化するか否かを決定することは、時間領域、周波数領域、またはそれらの組み合わせ、のうちの少なくとも１つにおいて、前記同期信号およびページング許可のためのサーチスペースをオーバーラップさせるか否かを決定することを含み、前記ページング信号は、ページングメッセージをスケジューリングする前記ページング許可を含み、前記ページング許可は、物理ダウンリンク制御チャネル（ＰＤＣＣＨ）を介して搬送され、前記ページングメッセージは、物理ダウンリンク共有チャネル（ＰＤＳＣＨ）を介して搬送される、
前記決定に基づいて前記ページング信号と前記同期信号とを多重化するための手段と、
を備える、装置。
【請求項３１】
前記多重化するための手段は、前記ページングメッセージと前記同期信号とを周波数分割多重化し、前記ページングメッセージと前記同期信号とは、同じ時間リソースであるが異なる周波数リソースに割り当てられる、請求項３０に記載の装置。
【請求項３２】
前記多重化するための手段は、前記ページング許可と前記同期信号とを時分割多重化し、前記ページング許可と前記同期信号とは、異なる時間リソースであるが同じ周波数リソースに割り当てられる、請求項３１に記載の装置。
【請求項３３】
前記ページング信号の前記トーン間隔および前記同期信号の前記トーン間隔の組み合わせに基づいて多重化するか否かを決定するための前記手段は、前記ページング許可の前記トーン間隔が前記同期信号の前記トーン間隔と同じであると決定することに応答して、前記時間領域において前記ページング許可と前記同期信号とをオーバーラップさせることによって、前記ページング許可と前記同期信号とを周波数分割多重化すると決定するように構成される、請求項３０に記載の装置。
【請求項３４】
トーン間隔の組み合わせに基づいて多重化するか否かを決定するための前記手段は、前記ページング許可の前記トーン間隔が前記同期信号の前記トーン間隔とは異なると決定することに応答して、前記時間領域において前記ページング許可と前記同期信号とをオーバーラップさせないと決定するように構成される、請求項３３に記載の装置。
【請求項３５】
前記ページング許可は、デフォルトのサーチスペースを通じて送信されるページング許可に対応する、請求項３３に記載の装置。
【請求項３６】
前記ページング許可のための前記サーチスペースは、前記ページング許可のためのデフォルトのサーチスペースに対応する、請求項３０に記載の装置。
【請求項３７】
前記多重化するための手段は、前記ページング信号と前記同期信号とを周波数分割多重化（ＦＤＭ）するように構成される、請求項３０に記載の装置。
【請求項３８】
前記決定するための手段は、前記ＦＤＭに必要とされる最低限の帯域幅上の通信を前記ＢＳと前記少なくとも１つのＵＥとの両方が少なくともサポートしている場合、前記ページング信号と前記同期信号とをＦＤＭすると決定するように構成される、請求項３７に記載の装置。
【請求項３９】
前記決定するための手段は、同期信号バースト（ＳＳバースト）のサブセットにおいて、前記ページング信号と前記同期信号とをＦＤＭすると決定するように構成される、請求項３７に記載の装置。
【請求項４０】
前記決定するための手段は、同期信号ブロック（ＳＳブロック）のサブセットにおいて、前記ページング信号と前記同期信号とをＦＤＭすると決定するように構成される、請求項３７に記載の装置。
【請求項４１】
前記決定するための手段は、前記ＢＳが少なくとも最低限の品質で前記同期信号を送信することができる場合、前記ページング信号と前記同期信号とを多重化すると決定するように構成される、請求項３０に記載の装置。
【請求項４２】
少なくとも最低限の品質で前記同期信号を送信することは、少なくとも最低限の電力で前記同期信号を送信することを含む、請求項４１に記載の装置。
【請求項４３】
前記決定するための手段は、対象とする送信ビーム上で前記ＢＳが前記ページング信号と前記同期信号とを送信することができ、かつ対象とする受信ビーム上で前記少なくとも１つのＵＥが前記ページング信号と前記同期信号とを受信することができる場合、前記ページング信号と前記同期信号とを多重化すると決定するように構成される、請求項３０に記載の装置。
【請求項４４】
前記ＰＤＣＣＨ、無線リソース制御（ＲＲＣ）シグナリング、マスタ情報ブロック（ＭＩＢ）、スケジューリング情報、システム情報、または同期信号のうちの少なくとも１つを介して、前記少なくとも１つのＵＥの前記能力に関する情報を報告するよう求めるリクエストを、前記少なくとも１つのＵＥに送信するための手段、
をさらに備える、請求項３０に記載の装置。
【請求項４５】
物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記少なくとも１つのＵＥの前記能力に関する情報を受信するための手段、
をさらに備える、請求項３０に記載の装置。
【請求項４６】
動作周波数帯域に基づいて多重化するか否かを前記決定するための手段は、第１の周波数帯域において前記ページング信号と前記同期信号とを周波数分割多重化すると決定し、第２の周波数帯域において前記ページング信号と前記同期信号とを多重化しないと決定するように構成される、請求項３０に記載の装置。
【請求項４７】
動作周波数帯域に基づいて多重化するか否かを前記決定することは、前記動作周波数帯域で動作する前記ＢＳの能力または前記少なくとも１つのＵＥの前記能力のうちの少なくとも１つに基づいて決定するように構成され、前記少なくとも１つのＵＥの前記能力は、前記動作周波数帯域で動作する前記少なくとも１つのＵＥの能力を備える、請求項４６に記載の装置。
【請求項４８】
前記第１の周波数帯域は、６ＧＨｚよりも高く、前記第２の周波数帯域は、サブ６ＧＨｚ帯域である、請求項４６に記載の装置。
【請求項４９】
前記多重化するための手段は、周波数リソースの第１のセットを前記ページング信号に、周波数リソースの第２のセットを前記同期信号に割り振るように構成され、前記第１のセットと前記第２のセットとは、オーバーラップしない、請求項３０に記載の装置。
【請求項５０】
前記多重化するための手段は、周波数リソースの第１のセットを前記ページング信号に、周波数リソースの第２のセットを前記同期信号に割り振るように構成され、前記第１のセットと前記第２のセットとは、少なくとも部分的にオーバーラップする、請求項３０に記載の装置。
【請求項５１】
前記ページング信号の送信は、前記同期信号の周辺でレートマッチングされる、請求項５０に記載の装置。
【請求項５２】
前記同期信号は、物理ブロードキャストチャネル（ＰＢＣＨ）、プライマリ同期信号（ＰＳＳ）、およびセカンダリ同期信号（ＳＳＳ）を有する同期信号ブロックを含む、請求項３０に記載の装置。
【請求項５３】
ユーザ機器（ＵＥ）によるワイヤレス通信のための装置であって、
ページング信号と同期信号とが基地局（ＢＳ）で多重化されるか否かを決定する際に使用するために、前記ＵＥの少なくとも１つの能力を送信するための手段と、
前記ページング信号と前記同期信号とが前記基地局によって多重化されることを示す情報を受信するための手段と、前記情報は、前記同期信号およびページング許可のためのサーチスペースが時間領域、周波数領域、またはそれらの組み合わせ、のうちの少なくとも１つにおいてオーバーラップするか否かを示し、前記ページング信号は、ページングメッセージをスケジューリングする前記ページング許可を含み、前記ページング許可は、物理ダウンリンク制御チャネル（ＰＤＣＣＨ）を介して受信され、前記ページングメッセージは、物理ダウンリンク共有チャネル（ＰＤＳＣＨ）を介して受信される、
前記受信した能力に基づいて、前記ＵＥで受信した多重化されたページング信号と同期信号とを処理するための手段と、
を備える、装置。
【請求項５４】
前記ＵＥの前記少なくとも１つの能力を報告するよう求めるリクエストを受信するための手段をさらに備え、前記送信することは、前記リクエストに応答する、請求項５３に記載の装置。
【請求項５５】
前記リクエストを前記受信するための手段は、物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、前記ＢＳから前記リクエストを受信するように構成される、請求項５４に記載の装置。
【請求項５６】
前記送信するための手段は、物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記ＵＥの前記少なくとも１つの能力を送信するように構成される、請求項５３に記載の装置。
【請求項５７】
前記少なくとも１つの能力は、前記ＵＥによってサポートされる最低限の帯域幅、前記ＵＥで利用可能なアンテナポートの数、または前記ＵＥで利用可能なアンテナ要素サブアレイの数、のうちの少なくとも１つを含む、請求項５３に記載の装置。
【請求項５８】
前記処理するための手段は、時間リソースのセット、周波数リソースのセット、またはそれらの組み合わせにおいて受信された、前記ページング信号と前記同期信号とを処理するように構成される、請求項５３に記載の装置。
【請求項５９】
基地局（ＢＳ）によるワイヤレス通信のための装置であって、
時間リソースのセット、周波数リソースのセット、またはそれらの組み合わせに、ページング信号と同期信号とを多重化するか否かを決定することと、前記決定することは、前記ＢＳによってサービスされる少なくとも１つのユーザ機器（ＵＥ）の能力、動作周波数帯域、または前記ページング信号のトーン間隔および前記同期信号のトーン間隔の組み合わせ、のうちの少なくとも１つに基づき、前記動作周波数帯域に基づいて多重化するか否かを決定することは、時間領域、周波数領域、またはそれらの組み合わせ、のうちの少なくとも１つにおいて、前記同期信号およびページング許可のためのサーチスペースをオーバーラップさせるか否かを決定することを含み、前記ページング信号は、ページングメッセージをスケジューリングする前記ページング許可を含み、前記ページング許可は、物理ダウンリンク制御チャネル（ＰＤＣＣＨ）を介して搬送され、前記ページングメッセージは、物理ダウンリンク共有チャネル（ＰＤＳＣＨ）を介して搬送される、
前記決定に基づいて前記ページング信号と前記同期信号とを多重化することと
を行うように構成された少なくとも１つのプロセッサと、
前記少なくとも１つのプロセッサに結合されたメモリと、
を備える、装置。
【請求項６０】
前記少なくとも１つのプロセッサは、前記ページングメッセージと前記同期信号とを周波数分割多重化することによって多重化するように構成され、前記ページングメッセージと前記同期信号とは、同じ時間リソースであるが異なる周波数リソースに割り当てられる、請求項５９に記載の装置。
【請求項６１】
前記少なくとも１つのプロセッサは、前記ページング許可と前記同期信号とを時分割多重化することによって多重化するように構成され、前記ページング許可と前記同期信号とは、異なる時間リソースであるが同じ周波数リソースに割り当てられる、請求項６０に記載の装置。
【請求項６２】
前記少なくとも１つのプロセッサは、前記ページング許可の前記トーン間隔が前記同期信号の前記トーン間隔と同じであると決定することに応答して、前記時間領域において前記ページング許可と前記同期信号とをオーバーラップさせることによって、前記ページング許可と前記同期信号とを周波数分割多重化すると決定することによって、前記ページング信号の前記トーン間隔および前記同期信号の前記トーン間隔の組み合わせに基づいて多重化するか否かを決定する、請求項５９に記載の装置。
【請求項６３】
前記少なくとも１つのプロセッサは、前記ページング許可の前記トーン間隔が前記同期信号の前記トーン間隔とは異なると決定することに応答して、前記時間領域において前記ページング許可と前記同期信号とをオーバーラップさせないと決定することによって、前記ページング信号の前記トーン間隔および前記同期信号の前記トーン間隔の組み合わせに基づいて多重化するか否かを決定する、請求項６２に記載の装置。
【請求項６４】
前記ページング許可は、デフォルトのサーチスペースを通じて送信されるページング許可に対応する、請求項６２に記載の装置。
【請求項６５】
前記ページング許可のための前記サーチスペースは、前記ページング許可のためのデフォルトのサーチスペースに対応する、請求項５９に記載の装置。
【請求項６６】
前記少なくとも１つのプロセッサは、前記ページング信号と前記同期信号とを周波数分割多重化（ＦＤＭ）するように構成される、請求項５８に記載の装置。
【請求項６７】
前記少なくとも１つのプロセッサは、前記ＦＤＭに必要とされる最低限の帯域幅上の通信を前記ＢＳと前記少なくとも１つのＵＥとの両方が少なくともサポートしている場合、前記ページング信号と前記同期信号とをＦＤＭすると決定するように構成される、請求項６６に記載の装置。
【請求項６８】
前記少なくとも１つのプロセッサは、同期信号バースト（ＳＳバースト）のサブセットにおいて、前記ページング信号と前記同期信号とをＦＤＭすると決定するように構成される、請求項６６に記載の装置。
【請求項６９】
前記少なくとも１つのプロセッサは、同期信号ブロック（ＳＳブロック）のサブセットにおいて、前記ページング信号と前記同期信号とをＦＤＭすると決定するように構成される、請求項６６に記載の装置。
【請求項７０】
前記少なくとも１つのプロセッサは、前記ＢＳが少なくとも最低限の品質で前記同期信号を送信することができる場合、前記ページング信号と前記同期信号とを多重化すると決定するように構成される、請求項５９に記載の装置。
【請求項７１】
前記少なくとも１つのプロセッサは、少なくとも最低限の電力で前記同期信号を送信することによって、少なくとも前記最低限の品質で前記同期信号を送信するように構成される、請求項７０に記載の装置。
【請求項７２】
前記少なくとも１つのプロセッサは、対象とする送信ビーム上で前記ＢＳが前記ページング信号と前記同期信号とを送信することができ、かつ対象とする受信ビーム上で前記少なくとも１つのＵＥが前記ページング信号と前記同期信号とを受信することができる場合、前記ページング信号と前記同期信号とを多重化すると決定するように構成される、請求項５９に記載の装置。
【請求項７３】
前記少なくとも１つのプロセッサは、
前記ＰＤＣＣＨ、無線リソース制御（ＲＲＣ）シグナリング、マスタ情報ブロック（ＭＩＢ）、スケジューリング情報、システム情報、または同期信号のうちの少なくとも１つの前記能力に関する情報を報告するよう求めるリクエストを、前記少なくとも１つのＵＥに送信すること、
を行うようにさらに構成される、請求項５９に記載の装置。
【請求項７４】
前記少なくとも１つのプロセッサは、
物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記少なくとも１つのＵＥの前記能力に関する情報を受信すること、
を行うようにさらに構成される、請求項５９に記載の装置。
【請求項７５】
前記少なくとも１つのプロセッサは、第１の周波数帯域において前記ページング信号と前記同期信号とを周波数分割多重化すると決定し、第２の周波数帯域において前記ページング信号と前記同期信号とを多重化しないと決定するように構成される、請求項５９に記載の装置。
【請求項７６】
前記少なくとも１つのプロセッサは、前記動作周波数帯域で動作する前記ＢＳの能力または前記少なくとも１つのＵＥの前記能力のうちの少なくとも１つに基づいて、動作周波数帯域において多重化するか否かを決定するように構成され、前記少なくとも１つのＵＥの前記能力は、前記動作周波数帯域で動作する前記少なくとも１つのＵＥの能力を備える、請求項７５に記載の装置。
【請求項７７】
前記第１の周波数帯域は、６ＧＨｚよりも高く、前記第２の周波数帯域は、サブ６ＧＨｚ帯域である、請求項７５に記載の装置。
【請求項７８】
前記少なくとも１つのプロセッサは、周波数リソースの第１のセットを前記ページング信号に、周波数リソースの第２のセットを前記同期信号に割り振ることによって多重化するように構成され、前記第１のセットと前記第２のセットとは、オーバーラップしない、請求項５９に記載の装置。
【請求項７９】
前記少なくとも１つのプロセッサは、周波数リソースの第１のセットを前記ページング信号に、周波数リソースの第２のセットを前記同期信号に割り振ることによって多重化するように構成され、前記第１のセットと前記第２のセットとは、少なくとも部分的にオーバーラップする、請求項５９に記載の装置。
【請求項８０】
前記少なくとも１つのプロセッサは、前記同期信号の周辺でレートマッチングされた前記ページング信号を送信するように構成される、請求項７９に記載の装置。
【請求項８１】
前記同期信号は、物理ブロードキャストチャネル（ＰＢＣＨ）、プライマリ同期信号（ＰＳＳ）、およびセカンダリ同期信号（ＳＳＳ）を有する同期信号ブロックを含む、請求項５９に記載の装置。
【請求項８２】
ユーザ機器（ＵＥ）によるワイヤレス通信のための装置であって、
ページング信号と同期信号とが基地局（ＢＳ）で多重化されるか否かを決定する際に使用するために、前記ＵＥの少なくとも１つの能力を送信することと、
前記ページング信号と前記同期信号とが前記基地局によって多重化されることを示す情報を受信することと、前記情報は、前記同期信号およびページング許可のためのサーチスペースが時間領域、周波数領域、またはそれらの組み合わせ、のうちの少なくとも１つにおいてオーバーラップするか否かを示し、前記ページング信号は、ページングメッセージをスケジューリングする前記ページング許可を含み、前記ページング許可は、物理ダウンリンク制御チャネル（ＰＤＣＣＨ）を介して受信され、前記ページングメッセージは、物理ダウンリンク共有チャネル（ＰＤＳＣＨ）を介して受信される、
前記受信した能力に基づいて、前記ＵＥで受信した多重化されたページング信号と同期信号とを処理することと、
を行うように構成された少なくとも１つのプロセッサと、
前記少なくとも１つのプロセッサに結合されたメモリと、
を備える、装置。
【請求項８３】
前記少なくとも１つのプロセッサはさらに、前記ＵＥの前記少なくとも１つの能力を報告するよう求めるリクエストを受信するように構成され、前記送信することは、前記リクエストに応答する、請求項８２に記載の装置。
【請求項８４】
前記リクエストを受信することは、物理ダウンリンク制御チャネル（ＰＤＣＣＨ）、無線リソース制御（ＲＲＣ）シグナリング、マスタ情報ブロック（ＭＩＢ）、スケジューリング情報、システム情報、または前記同期信号のうちの少なくとも１つを介して、前記ＢＳから前記リクエストを受信することを備える、請求項８３に記載の装置。
【請求項８５】
前記少なくとも１つのプロセッサは、物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記ＵＥの前記少なくとも１つの能力を送信することによって送信するように構成される、請求項８２に記載の装置。
【請求項８６】
前記少なくとも１つの能力は、前記ＵＥによってサポートされる最低限の帯域幅、前記ＵＥで利用可能なアンテナポートの数、または前記ＵＥで利用可能なアンテナ要素サブアレイの数、のうちの少なくとも１つを含む、請求項８２に記載の装置。
【請求項８７】
前記少なくとも１つのプロセッサは、時間リソースのセット、周波数リソースのセット、またはそれらの組み合わせにおいて受信された、前記ページング信号と前記同期信号とを処理することによって処理するように構成される、請求項８２に記載の装置。  
【手続補正２】
【補正対象書類名】明細書
【補正対象項目名】０１１５
【補正方法】変更
【補正の内容】
【０１１５】
[0126]  特許請求の範囲は、上述されたとおりの構成および構成要素に限定されないことが理解されるべきである。本願の特許請求の範囲から逸脱することなく、様々な変更、交換、および変形が、上述された方法および装置の配置、動作、および細部に対して行われ得る。
以下に本願発明の当初の特許請求の範囲に記載された発明を付記する。
［Ｃ１］
基地局（ＢＳ）によるワイヤレス通信のための方法であって、
時間リソースのセット、周波数リソースのセット、またはそれらの組み合わせに、ページング信号と同期信号とを多重化するか否かを決定することと、前記決定することは、前記ＢＳの能力、前記ＢＳによってサービスされる少なくとも１つのユーザ機器（ＵＥ）の能力、動作周波数帯域、または前記ページング信号および前記同期信号のトーン間隔の組み合わせ、のうちの少なくとも１つに基づく、
前記決定に基づいて前記ページング信号と前記同期信号とを多重化することと、
を備える、方法。
［Ｃ２］
前記ページング信号は、ページングメッセージをスケジューリングするページング許可を含む、Ｃ１に記載の方法。
［Ｃ３］
前記ページング許可は、物理ダウンリンク制御チャネル（ＰＤＣＣＨ）を介して搬送され、前記ページングメッセージは、物理ダウンリンク共有チャネル（ＰＤＳＣＨ）を介して搬送される、Ｃ２に記載の方法。
［Ｃ４］
前記多重化することは、前記ページングメッセージと前記同期信号とを周波数分割多重化することを備え、前記ページングメッセージと前記同期信号とは、同じ時間リソースであるが異なる周波数リソースに割り当てられる、Ｃ３に記載の方法。
［Ｃ５］
前記多重化することは、前記ページング許可と前記同期信号とを時分割多重化することを備え、前記ページング許可と前記同期信号とは、異なる時間リソースに割り当てられる、Ｃ４に記載の方法。
［Ｃ６］
トーン間隔の組み合わせに基づいて多重化するか否かを決定することは、前記ページング許可と前記同期信号との前記トーン間隔が同じである場合、前記時間領域で前記ページング許可と前記同期信号とをオーバーラップさせることによって、前記ページング許可と前記同期信号とを周波数分割多重化すると決定することを含む、Ｃ３に記載の方法。
［Ｃ７］
トーン間隔の組み合わせに基づいて多重化するか否かを決定することは、前記ページング許可と前記同期信号との前記トーン間隔が異なる場合、前記時間領域中で前記ページング許可と前記同期信号とをオーバーラップさせないと決定することを含む、Ｃ６に記載の方法。
［Ｃ８］
前記ページング許可は、デフォルトのサーチスペースを通じて送信されるページング許可に対応する、Ｃ６に記載の方法。
［Ｃ９］
動作周波数帯域に基づいて多重化するか否かを決定することは、時間領域、周波数領域、またはそれらの組み合わせ、のうちの少なくとも１つに、前記ページング許可および前記同期信号のためのサーチスペースをオーバーラップさせるか否かを決定することを含む、Ｃ３に記載の方法。
［Ｃ１０］
前記ページング許可のための前記サーチスペースは、前記ページング許可のためのデフォルトのサーチスペースに対応する、Ｃ９に記載の方法。
［Ｃ１１］
前記少なくとも１つのＵＥは、システム情報を介して前記ページング許可のためのサーチスペースで前記ＵＥが構成されていない場合、前記ページング許可のための前記デフォルトのサーチスペースをモニタする、Ｃ１０に記載の方法。
［Ｃ１２］
前記多重化することは、前記ページング信号と前記同期信号とを周波数分割多重化（ＦＤＭ）することを含む、Ｃ１に記載の方法。
［Ｃ１３］
前記決定することは、前記ＦＤＭに必要とされる最低限の帯域幅上の通信を前記ＢＳと前記少なくとも１つのＵＥとの両方が少なくともサポートしている場合、前記ページング信号と前記同期信号とをＦＤＭすると決定することを備える、Ｃ１２に記載の方法。
［Ｃ１４］
前記決定することは、同期信号バースト（ＳＳバースト）のサブセット中に、前記ページング信号と前記同期信号とをＦＤＭすると決定することを備える、Ｃ１２に記載の方法。
［Ｃ１５］
前記決定することは、同期信号ブロック（ＳＳブロック）のサブセット中に、前記ページング信号と前記同期信号とをＦＤＭすると決定することを備える、Ｃ１２に記載の方法。
［Ｃ１６］
前記決定することは、前記ＢＳが少なくとも最低限の品質で前記同期信号を送信することができる場合、前記ページング信号と前記同期信号とを多重化すると決定することを備える、Ｃ１に記載の方法。
［Ｃ１７］
少なくとも最低限の品質で前記同期信号を送信することは、少なくとも最低限の電力で前記同期信号を送信することを含む、Ｃ１６に記載の方法。
［Ｃ１８］
前記決定することは、対象とする送信ビーム上で前記ＢＳが前記ページング信号と前記同期信号とを送信することができ、かつ対象とする受信ビーム上で前記少なくとも１つのＵＥが前記ページング信号と前記同期信号とを受信することができる場合、前記ページング信号と前記同期信号とを多重化すると決定することを備える、Ｃ１に記載の方法。
［Ｃ１９］
物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、前記少なくとも１つのＵＥの前記能力に関する情報を報告するために、前記少なくとも１つのＵＥにリクエストを送信すること、
をさらに備える、Ｃ１に記載の方法。
［Ｃ２０］
物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記少なくとも１つのＵＥの前記能力に関する情報を受信すること、
をさらに備える、Ｃ１に記載の方法。
［Ｃ２１］
動作周波数帯域に基づいて多重化するか否かを前記決定することは、第１の周波数帯域に前記ページング信号と前記同期信号とを周波数分割多重化すると決定することと、第２の周波数帯域に前記ページング信号と前記同期信号とを多重化しないと決定することとを備える、Ｃ１に記載の方法。
［Ｃ２２］
動作周波数帯域に基づいて多重化するか否かを前記決定することは、前記周波数帯域で動作する前記少なくとも１つのＵＥの前記能力または前記ＢＳの能力のうちの少なくとも１つに基づく、Ｃ２１に記載の方法。
［Ｃ２３］
第１の周波数帯域は、６ＧＨｚよりも高く、前記第２の周波数帯域は、サブ６ＧＨｚ帯域である、Ｃ２１に記載の方法。
［Ｃ２４］
前記多重化することは、周波数リソースの第１のセットを前記ページング信号に、周波数リソースの第２のセットを前記同期信号に割り振ることを備え、前記第１のセットと前記第２のセットとは、オーバーラップしない、Ｃ１に記載の方法。
［Ｃ２５］
前記多重化することは、周波数リソースの第１のセットを前記ページング信号に、周波数リソースの第２のセットを前記同期信号に割り振ることを備え、前記第１のセットと前記第２のセットとは、少なくとも部分的にオーバーラップする、Ｃ１に記載の方法。
［Ｃ２６］
前記ページング信号の送信は、前記同期信号の周辺でレートマッチングされる、Ｃ２５に記載の方法。
［Ｃ２７］
前記同期信号は、物理ブロードキャストチャネル（ＰＢＣＨ）、プライマリ同期信号（ＰＳＳ）、およびセカンダリ同期信号（ＳＳＳ）を有する同期信号ブロックを含む、Ｃ１に記載の方法。
［Ｃ２８］
ユーザ機器（ＵＥ）によるワイヤレス通信の方法であって、
ページング信号と同期信号とが基地局（ＢＳ）で多重化されるか否かを決定する際に使用するために、ＵＥの少なくとも１つの能力を送信することと、
前記ＵＥの前記少なくとも１つの能力に基づいて、前記ＵＥで受信した多重化されたページング信号と同期信号とを処理することと、
を備える、方法。
［Ｃ２９］
前記ＵＥの前記少なくとも１つの能力を報告するためのリクエストを受信することをさらに備え、前記送信することは、前記リクエストに応答する、Ｃ１７に記載の方法。
［Ｃ３０］
前記リクエストを受信することは、物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、前記ＢＳから前記リクエストを受信することを備える、Ｃ１８に記載の方法。
［Ｃ３１］
前記送信することは、物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記ＵＥの前記少なくとも１つの能力を送信することを備える、Ｃ１７に記載の方法。
［Ｃ３２］
前記少なくとも１つの能力は、前記ＵＥによってサポートされる最低限の帯域幅、前記ＵＥで利用可能なアンテナポートの数、または前記ＵＥで利用可能なアンテナ要素サブアレイの数、のうちの少なくとも１つを含む、Ｃ１７に記載の方法。
［Ｃ３３］
前記処理することは、時間リソースのセット、周波数リソースのセット、またはそれらの組み合わせにおいて受信された、前記ページング信号と前記同期信号とを処理することを含む、Ｃ１７に記載の方法。
［Ｃ３４］
基地局（ＢＳ）によるワイヤレス通信のための装置であって、
時間リソースのセット、周波数リソースのセット、またはそれらの組み合わせに、ページング信号と同期信号とを多重化するか否かを決定するための手段と、前記決定することは、前記ＢＳの能力、前記ＢＳによってサービスされる少なくとも１つのユーザ機器（ＵＥ）の能力、動作周波数帯域、または前記ページング信号および前記同期信号のトーン間隔の組み合わせ、のうちの少なくとも１つに基づく、
前記決定に基づいて前記ページング信号と前記同期信号とを多重化するための手段と、
を備える、装置。
［Ｃ３５］
前記ページング信号は、ページングメッセージをスケジューリングするページング許可を含む、Ｃ３４に記載の装置。
［Ｃ３６］
前記ページング許可は、物理ダウンリンク制御チャネル（ＰＤＣＣＨ）を介して搬送され、前記ページングメッセージは、物理ダウンリンク共有チャネル（ＰＤＳＣＨ）を介して搬送される、Ｃ３５に記載の装置。
［Ｃ３７］
前記多重化するための手段は、前記ページングメッセージと前記同期信号とを周波数分割多重化し、前記ページングメッセージと前記同期信号とは、同じ時間リソースであるが異なる周波数リソースに割り当てられる、Ｃ３６に記載の装置。
［Ｃ３８］
前記多重化するための手段は、前記ページング許可と前記同期信号とを時分割多重化し、前記ページング許可と前記同期信号とは、異なる時間リソースであるが同じ周波数リソースに割り当てられる、Ｃ３７に記載の装置。
［Ｃ３９］
トーン間隔の組み合わせに基づいて多重化するか否かを決定することは、前記ページング許可と前記同期信号との前記トーン間隔が同じである場合、前記時間領域で前記ページング許可と前記同期信号とをオーバーラップさせることによって、前記ページング許可と前記同期信号とを周波数分割多重化すると決定することを含む、Ｃ３６に記載の装置。
［Ｃ４０］
トーン間隔の組み合わせに基づいて多重化するか否かを決定することは、前記ページング許可と前記同期信号との前記トーン間隔が異なる場合、前記時間領域中で前記ページング許可と前記同期信号とをオーバーラップさせないと決定することを含む、Ｃ３９に記載の装置。
［Ｃ４１］
前記ページング許可は、デフォルトのサーチスペースを通じて送信されるページング許可に対応する、Ｃ３９に記載の装置。
［Ｃ４２］
動作周波数帯域に基づいて多重化するか否かを決定することは、時間領域、周波数領域、またはそれらの組み合わせ、のうちの少なくとも１つに、前記ページング許可および前記同期信号のためのサーチスペースをオーバーラップさせるか否かを決定することを含む、Ｃ３６に記載の装置。
［Ｃ４３］
前記ページング許可のための前記サーチスペースは、前記ページング許可のためのデフォルトのサーチスペースに対応する、Ｃ４２に記載の装置。
［Ｃ４４］
前記少なくとも１つのＵＥは、システム情報を介して前記ページング許可のためのサーチスペースで前記ＵＥが構成されていない場合、前記ページング許可のための前記デフォルトのサーチスペースをモニタする、Ｃ４３に記載の装置。
［Ｃ４５］
前記多重化するための手段は、前記ページング信号と前記同期信号とを周波数分割多重化（ＦＤＭ）するように構成される、Ｃ３４に記載の装置。
［Ｃ４６］
前記決定するための手段は、前記ＦＤＭに必要とされる最低限の帯域幅上の通信を前記ＢＳと前記少なくとも１つのＵＥとの両方が少なくともサポートしている場合、前記ページング信号と前記同期信号とをＦＤＭすると決定するように構成される、Ｃ４５に記載の装置。
［Ｃ４７］
前記決定するための手段は、同期信号バースト（ＳＳバースト）のサブセット中に、前記ページング信号と前記同期信号とをＦＤＭすると決定するように構成される、Ｃ４５に記載の装置。
［Ｃ４８］
前記決定するための手段は、同期信号ブロック（ＳＳブロック）のサブセット中に、前記ページング信号と前記同期信号とをＦＤＭすると決定するように構成される、Ｃ４５に記載の装置。
［Ｃ４９］
前記決定するための手段は、前記ＢＳが少なくとも最低限の品質で前記同期信号を送信することができる場合、前記ページング信号と前記同期信号とを多重化すると決定するように構成される、Ｃ３４に記載の装置。
［Ｃ５０］
少なくとも最低限の品質で前記同期信号を送信することは、少なくとも最低限の電力で前記同期信号を送信することを含む、Ｃ４９に記載の装置。
［Ｃ５１］
前記決定するための手段は、対象とする送信ビーム上で前記ＢＳが前記ページング信号と前記同期信号とを送信することができ、かつ対象とする受信ビーム上で前記少なくとも１つのＵＥが前記ページング信号と前記同期信号とを受信することができる場合、前記ページング信号と前記同期信号とを多重化すると決定するように構成される、Ｃ３４に記載の装置。
［Ｃ５２］
物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、前記少なくとも１つのＵＥの前記能力に関する情報を報告するために、前記少なくとも１つのＵＥにリクエストを送信するための手段、
をさらに備える、Ｃ３４に記載の装置。
［Ｃ５３］
物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記少なくとも１つのＵＥの前記能力に関する情報を受信するための手段、
をさらに備える、Ｃ３４に記載の装置。
［Ｃ５４］
動作周波数帯域に基づいて多重化するか否かを前記決定するための手段は、第１の周波数帯域に前記ページング信号と前記同期信号とを周波数分割多重化すると決定し、第２の周波数帯域に前記ページング信号と前記同期信号とを多重化しないと決定するように構成される、Ｃ３４に記載の装置。
［Ｃ５５］
動作周波数帯域に基づいて多重化するか否かを前記決定することは、前記周波数帯域で動作する前記少なくとも１つのＵＥの前記能力または前記ＢＳの能力のうちの少なくとも１つに基づく、Ｃ５４に記載の装置。
［Ｃ５６］
前記第１の周波数帯域は、６ＧＨｚよりも高く、前記第２の周波数帯域は、サブ６ＧＨｚ帯域である、Ｃ５４に記載の装置。
［Ｃ５７］
前記多重化するための手段は、周波数リソースの第１のセットを前記ページング信号に、周波数リソースの第２のセットを前記同期信号に割り振るように構成され、前記第１のセットと前記第２のセットとは、オーバーラップしない、Ｃ３４に記載の装置。
［Ｃ５８］
前記多重化するための手段は、周波数リソースの第１のセットを前記ページング信号に、周波数リソースの第２のセットを前記同期信号に割り振るように構成され、前記第１のセットと前記第２のセットとは、少なくとも部分的にオーバーラップする、Ｃ３４に記載の装置。
［Ｃ５９］
前記ページング信号の送信は、前記同期信号の周辺でレートマッチングされる、Ｃ５８に記載の装置。
［Ｃ６０］
前記同期信号は、物理ブロードキャストチャネル（ＰＢＣＨ）、プライマリ同期信号（ＰＳＳ）、およびセカンダリ同期信号（ＳＳＳ）を有する同期信号ブロックを含む、Ｃ３４に記載の装置。
［Ｃ６１］
ユーザ機器（ＵＥ）によるワイヤレス通信のための装置であって、
ページング信号と同期信号とが基地局（ＢＳ）で多重化されるか否かを決定する際に使用するために、ＵＥの少なくとも１つの能力を送信するための手段と、
前記ＵＥの前記少なくとも１つの能力に基づいて、前記ＵＥで受信した多重化されたページング信号と同期信号とを処理するための手段と、
を備える、装置。
［Ｃ６２］
前記ＵＥの前記少なくとも１つの能力を報告するためのリクエストを受信するための手段をさらに備え、前記送信することは、前記リクエストに応答する、Ｃ６１に記載の装置。
［Ｃ６３］
前記リクエストを前記受信するための手段は、物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、前記ＢＳから前記リクエストを受信するように構成される、Ｃ６２に記載の装置。
［Ｃ６４］
前記送信するための手段は、物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記ＵＥの前記少なくとも１つの能力を送信するように構成される、Ｃ６１に記載の装置。
［Ｃ６５］
前記少なくとも１つの能力は、前記ＵＥによってサポートされる最低限の帯域幅、前記ＵＥで利用可能なアンテナポートの数、または前記ＵＥで利用可能なアンテナ要素サブアレイの数、のうちの少なくとも１つを含む、Ｃ６１に記載の装置。
［Ｃ６６］
前記処理するための手段は、時間リソースのセット、周波数リソースのセット、またはそれらの組み合わせにおいて受信された、前記ページング信号と前記同期信号とを処理するように構成される、Ｃ６１に記載の装置。
［Ｃ６７］
基地局（ＢＳ）によるワイヤレス通信のための装置であって、
時間リソースのセット、周波数リソースのセット、またはそれらの組み合わせに、ページング信号と同期信号とを多重化するか否かを決定することと、前記決定することは、前記ＢＳの能力、前記ＢＳによってサービスされる少なくとも１つのユーザ機器（ＵＥ）の能力、動作周波数帯域、または前記ページング信号および前記同期信号のトーン間隔の組み合わせ、のうちの少なくとも１つに基づく、
前記決定に基づいて前記ページング信号と前記同期信号とを多重化することと
を行うように構成された少なくとも１つのプロセッサと、
前記少なくとも１つのプロセッサに結合されたメモリと、
を備える、装置。
［Ｃ６８］
前記ページング信号は、ページングメッセージをスケジューリングするページング許可を含む、Ｃ６７に記載の装置。
［Ｃ６９］
前記ページング許可は、物理ダウンリンク制御チャネル（ＰＤＣＣＨ）を介して搬送され、前記ページングメッセージは、物理ダウンリンク共有チャネル（ＰＤＳＣＨ）を介して搬送される、Ｃ６８に記載の装置。
［Ｃ７０］
前記多重化することは、前記ページングメッセージと前記同期信号とを周波数分割多重化することを備え、前記ページングメッセージと前記同期信号とは、同じ時間リソースであるが異なる周波数リソースに割り当てられる、Ｃ６９に記載の装置。
［Ｃ７１］
前記多重化することは、前記ページング許可と前記同期信号とを時分割多重化することを備え、前記ページング許可と前記同期信号とは、異なる時間リソースであるが同じ周波数リソースに割り当てられる、Ｃ７０に記載の装置。
［Ｃ７２］
トーン間隔の組み合わせに基づいて多重化するか否かを決定することは、前記ページング許可と前記同期信号との前記トーン間隔が同じである場合、前記時間領域で前記ページング許可と前記同期信号とをオーバーラップさせることによって、前記ページング許可と前記同期信号とを周波数分割多重化すると決定することを含む、Ｃ６９に記載の装置。
［Ｃ７３］
トーン間隔の組み合わせに基づいて多重化するか否かを決定することは、前記ページング許可と前記同期信号との前記トーン間隔が異なる場合、前記時間領域中で前記ページング許可と前記同期信号とをオーバーラップさせないと決定することを含む、Ｃ７２に記載の装置。
［Ｃ７４］
前記ページング許可は、デフォルトのサーチスペースを通じて送信されるページング許可に対応する、Ｃ７２に記載の装置。
［Ｃ７５］
動作周波数帯域に基づいて多重化するか否かを決定することは、時間領域、周波数領域、またはそれらの組み合わせ、のうちの少なくとも１つに、前記ページング許可および前記同期信号のためのサーチスペースをオーバーラップさせるか否かを決定することを含む、Ｃ６９に記載の装置。
［Ｃ７６］
前記ページング許可のための前記サーチスペースは、前記ページング許可のためのデフォルトのサーチスペースに対応する、Ｃ７５に記載の装置。
［Ｃ７７］
前記少なくとも１つのＵＥは、システム情報を介して前記ページング許可のためのサーチスペースで前記ＵＥが構成されていない場合、前記ページング許可のための前記デフォルトのサーチスペースをモニタする、Ｃ７６に記載の装置。
［Ｃ７８］
前記多重化することは、前記ページング信号と前記同期信号とを周波数分割多重化（ＦＤＭ）することを含む、Ｃ６７に記載の装置。
［Ｃ７９］
前記少なくとも１つのプロセッサは、前記ＦＤＭに必要とされる最低限の帯域幅上の通信を前記ＢＳと前記少なくとも１つのＵＥとの両方が少なくともサポートしている場合、前記ページング信号と前記同期信号とをＦＤＭすると決定するように構成される、Ｃ７８に記載の装置。
［Ｃ８０］
前記少なくとも１つのプロセッサは、同期信号バースト（ＳＳバースト）のサブセット中に、前記ページング信号と前記同期信号とをＦＤＭすると決定するように構成される、Ｃ７８に記載の装置。
［Ｃ８１］
前記少なくとも１つのプロセッサは、同期信号ブロック（ＳＳブロック）のサブセット中に、前記ページング信号と前記同期信号とをＦＤＭすると決定するように構成される、Ｃ７８に記載の装置。
［Ｃ８２］
前記少なくとも１つのプロセッサは、前記ＢＳが少なくとも最低限の品質で前記同期信号を送信することができる場合、前記ページング信号と前記同期信号とを多重化すると決定するように構成される、Ｃ６７に記載の装置。
［Ｃ８３］
少なくとも最低限の品質で前記同期信号を送信することは、少なくとも最低限の電力で前記同期信号を送信することを含む、Ｃ８２に記載の装置。
［Ｃ８４］
前記少なくとも１つのプロセッサは、対象とする送信ビーム上で前記ＢＳが前記ページング信号と前記同期信号とを送信することができ、かつ対象とする受信ビーム上で前記少なくとも１つのＵＥが前記ページング信号と前記同期信号とを受信することができる場合、前記ページング信号と前記同期信号とを多重化すると決定するように構成される、Ｃ６７に記載の装置。
［Ｃ８５］
前記少なくとも１つのプロセッサは、
物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、前記少なくとも１つのＵＥの前記能力に関する情報を報告するために、前記少なくとも１つのＵＥにリクエストを送信すること、
を行うようにさらに構成される、Ｃ６７に記載の装置。
［Ｃ８６］
前記少なくとも１つのプロセッサは、
物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記少なくとも１つのＵＥの前記能力に関する情報を受信すること、
を行うようにさらに構成される、Ｃ６７に記載の装置。
［Ｃ８７］
前記少なくとも１つのプロセッサは、第１の周波数帯域に前記ページング信号と前記同期信号とを周波数分割多重化すると決定し、第２の周波数帯域に前記ページング信号と前記同期信号とを多重化しないと決定するように構成される、Ｃ６７に記載の装置。
［Ｃ８８］
前記少なくとも１つのプロセッサは、前記周波数帯域で動作する前記少なくとも１つのＵＥの前記能力または前記ＢＳの能力のうちの少なくとも１つに基づいて、動作周波数帯域中で多重化するか否かを決定するように構成される、Ｃ８７に記載の装置。
［Ｃ８９］
前記第１の周波数帯域は、６ＧＨｚよりも高く、前記第２の周波数帯域は、サブ６ＧＨｚ帯域である、Ｃ８７に記載の装置。
［Ｃ９０］
前記少なくとも１つのプロセッサは、周波数リソースの第１のセットを前記ページング信号に、周波数リソースの第２のセットを前記同期信号に割り振ることによって多重化するように構成され、前記第１のセットと前記第２のセットとは、オーバーラップしない、Ｃ６７に記載の装置。
［Ｃ９１］
前記少なくとも１つのプロセッサは、周波数リソースの第１のセットを前記ページング信号に、周波数リソースの第２のセットを前記同期信号に割り振ることによって多重化するように構成され、前記第１のセットと前記第２のセットとは、少なくとも部分的にオーバーラップする、Ｃ６７に記載の装置。
［Ｃ９２］
前記ページング信号の送信は、前記同期信号の周辺でレートマッチングされる、Ｃ９１に記載の装置。
［Ｃ９３］
前記同期信号は、物理ブロードキャストチャネル（ＰＢＣＨ）、プライマリ同期信号（ＰＳＳ）、およびセカンダリ同期信号（ＳＳＳ）を有する同期信号ブロックを含む、Ｃ６７に記載の装置。
［Ｃ９４］
ユーザ機器（ＵＥ）によるワイヤレス通信のための装置であって、
ページング信号と同期信号とが基地局（ＢＳ）で多重化されるか否かを決定する際に使用するために、ＵＥの少なくとも１つの能力を送信することと、
前記ＵＥの前記少なくとも１つの能力に基づいて、前記ＵＥで受信した多重化されたページング信号と同期信号とを処理することと、
を行うように構成された少なくとも１つのプロセッサと、
前記少なくとも１つのプロセッサに結合されたメモリと、
を備える、装置。
［Ｃ９５］
前記少なくとも１つのプロセッサはさらに、前記ＵＥの前記少なくとも１つの能力を報告するためのリクエストを受信するように構成され、前記送信することは、前記リクエストに応答する、Ｃ９４に記載の装置。
［Ｃ９６］
前記リクエストを受信することは、物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、前記ＢＳから前記リクエストを受信することを備える、Ｃ９５に記載の装置。
［Ｃ９７］
前記少なくとも１つのプロセッサは、物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記ＵＥの前記少なくとも１つの能力を送信することによって送信するように構成される、Ｃ９４に記載の装置。
［Ｃ９８］
前記少なくとも１つの能力は、前記ＵＥによってサポートされる最低限の帯域幅、前記ＵＥで利用可能なアンテナポートの数、または前記ＵＥで利用可能なアンテナ要素サブアレイの数、のうちの少なくとも１つを含む、Ｃ９４に記載の装置。
［Ｃ９９］
前記少なくとも１つのプロセッサは、時間リソースのセット、周波数リソースのセット、またはそれらの組み合わせにおいて受信された、前記ページング信号と前記同期信号とを処理することによって処理するように構成される、Ｃ９４に記載の装置。